(57)【要約】  本発明は、制御コントローラとかごコントローラとの間の通信に異常が生じた場合であっても、乗りかごが戸開可能な位置に停止中であれば、戸開を可能とするエレベーターシステムを提供することを目的とする。このため、乗りかごと、制御コントローラと、かごコントローラと、を有するエレベーターシステムであって、前記制御コントローラは、前記かごコントローラとの通信が正常であり、かつ、前記乗りかごがサービス階に停止中の場合、前記かごコントローラに戸開許可信号を送信し、前記かごコントローラは、前記乗りかごの運転中に前記制御コントローラから戸開許可信号を受信した場合、戸開許可フラグをオンにし、前記乗りかごの運転中に前記制御コントローラから戸開許可信号を受信しない場合、戸開許可フラグをオフにするエレベーターシステムとした。
2020194502.tif 000002
【特許請求の範囲】
【請求項１】
昇降路内を昇降動作する乗りかごと、
建屋に設置され、前記乗りかごの昇降運転を制御する制御コントローラと、
前記乗りかごに設置され、前記乗りかごのドアの開閉を制御するかごコントローラと、
を有するエレベーターシステムであって、
前記制御コントローラは、前記かごコントローラとの通信が正常であり、かつ、前記乗りかごがサービス階に停止中の場合、前記かごコントローラに戸開許可信号を送信し、
前記かごコントローラは、前記乗りかごの運転中に前記制御コントローラから戸開許可信号を受信した場合、戸開許可フラグをオンにし、前記乗りかごの運転中に前記制御コントローラから戸開許可信号を受信しない場合、戸開許可フラグをオフにすることを特徴とするエレベーターシステム。
【請求項２】
請求項１に記載のエレベーターシステムであって、
前記かごコントローラは、前記制御コントローラとの通信に異常があり、かつ、前記戸開許可フラグがオンである場合、かご内操作盤の戸開ボタンの操作に応じて、前記乗りかごのドアを戸開することを特徴とするエレベーターシステム。
【請求項３】
請求項１に記載のエレベーターシステムであって、
前記かごコントローラは、前記制御コントローラとの通信に異常があり、かつ、前記戸開許可フラグがオフである場合、かご内操作盤の戸開ボタンが操作されても、前記乗りかごのドアを戸閉することを特徴とするエレベーターシステム。
【請求項４】
請求項１から請求項３の何れか一項に記載のエレベーターシステムであって、
前記制御コントローラと前記かごコントローラの通信は、無線で行われることを特徴とするエレベーターシステム。
【請求項５】
昇降路内を昇降動作する乗りかごと、前記乗りかごの昇降運転を制御する制御コントローラと、前記乗りかごのドアの開閉を制御するかごコントローラを備え、
前記かごコントローラは、前記制御コントローラからの戸開指令を使用して、前記ドアの戸開を制御する第一モードと、前記制御コントローラからの戸開指令を使用せずに、前記ドアの戸開を制御する第二モードを有することを特徴とするエレベーターシステム。
【請求項６】
請求項５に記載のエレベーターシステムにおいて、
前記かごコントローラは、前記第二モードにて、前記制御コントローラからの以前の戸開許可信号を使用して、前記乗りかごのドアの開閉を制御することを特徴とするエレベーターシステム。
【請求項７】
請求項５または請求項６に記載のエレベーターシステムにおいて、
前記かごコントローラが、前記第二モードにて、前記乗りかごのドアの開閉を制御する場合、
前記制御コントローラ―は、前記乗りかごを昇降運転させないことを特徴とするエレベーターシステム。
【発明の詳細な説明】
【技術分野】
【０００１】
本発明は、主に乗りかごの昇降運転を制御する制御コントローラと、主に乗りかごのドア開閉を制御するかごコントローラとの間の通信に異常が生じた場合であっても、乗りかごがサービス階に停車であれば、戸開を可能とするエレベーターシステムに関する。
【背景技術】
【０００２】
エレベーターの制御装置は、エレベーターの異常や故障を検出した場合、乗客の安全の確保や、装置の破損防止の為、乗りかごを停止させることがある。その際、乗客のかご内閉じ込めを極力避けるため、様々な技術が考案されている。【０００３】
例えば、特許文献１では、「異常・故障検出手段は、非常停止を検出すると異常検知信号をかご制御装置に出力し、当該異常検知信号が入力されたかご制御装置は、ドア開・閉釦の指示を無効化すると共に、乗りかご位置検出装置からの信号に基づいて乗りかごの非常停止位置を検出して当該検出位置が最寄り階床のドアゾーン位置であるか否か判定し、当該判定結果がドアゾーン位置であるときは、ドアゾーン位置である判定信号を外部検出・制御装置に出力し、当該信号が入力された外部検出・制御装置は、エレベーターが起動可能か否かを起動確認手段にて判定し、当該判定が起動不能判定であるときはエレベーター乗りかごのドアロック解除指示信号と、ドアを開放して脱出する報知を指示するドア開放・脱出指示信号とをかご制御装置に出力し、当該ドアロック解除指示信号、及びドア開放・脱出指示信号が入力されたかご制御装置は、ドアロック解除を行うと共にドアを開放して脱出する報知を行う」技術について、記載されている。
【先行技術文献】
【特許文献】
【０００４】
【特許文献１】特開２００９−１４９４１３号公報
【発明の概要】
【発明が解決しようとする課題】
【０００５】
しかしながら、特許文献１の技術では、異常・故障が発生した際に、かご制御装置は外部検出・制御装置の判定に基づいてドア開放するものであり、かご制御装置と外部検出・制御装置の間の信号送受に異常がある場合には、ドアを開放できなくなる。【０００６】
そこで、本発明では、主に乗りかごの昇降運転を制御する制御コントローラと、主に乗りかごのドア開閉を制御するかごコントローラとの間の通信に異常が生じた場合であっても、乗りかごがサービス階に停車中であれば、戸開を可能とするエレベーターシステムを提供することを目的とする。
【課題を解決するための手段】
【０００７】
上記課題を解決するため、本発明のエレベーターシステムは、昇降路内を昇降動作する乗りかごと、建屋に設置され、前記乗りかごの昇降運転を制御する制御コントローラと、前記乗りかごに設置され、前記乗りかごのドアの開閉を制御するかごコントローラと、を有するものであって、前記制御コントローラは、前記かごコントローラとの通信が正常であり、かつ、前記乗りかごがサービス階に停止中の場合、前記かごコントローラに戸開許可信号を送信し、前記かごコントローラは、前記乗りかごの運転中に前記制御コントローラから戸開許可信号を受信した場合、戸開許可フラグをオンにし、前記乗りかごの運転中に前記制御コントローラから戸開許可信号を受信しない場合、戸開許可フラグをオフにするものとした。
【発明の効果】
【０００８】
本発明によれば、かごコントローラと制御コントローラの間の信号の送受に異常が発生した場合でも、ドアを開くことが可能となり、乗客の閉じ込めを低減させることができる。
【図面の簡単な説明】
【０００９】
【図１】一実施例のエレベーターシステムの全体構成図。
【図２】エレベーターシステムが実施する処理のフローチャート。
【図３】制御コントローラが実施する処理のフローチャート。
【図４】かごコントローラが実施する処理のフローチャート。
【発明を実施するための形態】
【００１０】
以下、本発明の一実施例のエレベーターシステムについて、図面を用いて説明する。
【００１１】
図１は、一実施例のエレベーターシステムの全体構成を示すものである。ここに示すように、本実施例のエレベーターは、乗りかご１とカウンタウェイト２が主ロープ３で連結されており、モータ４が主ロープ３を駆動することにより、乗りかご１が昇降路内を昇降する、いわゆる、つるべ式のエレベーターである。なお、モータ４にはブレーキ５が備えられており、ブレーキ５が動作することで、モータ４の回転が阻止される。また、ガバナロープ６は、乗りかご１の昇降に伴い牽引され、乗りかご１の昇降速度を制限するためのガバナ７を回転させる。
【００１２】
乗りかご１にはドア８が設置されており、ドア８の上方に設置されたドアマシン９が動作することで、ドア８が開閉する。また、乗りかご１の上部には、検出センサ１０が備えられており、各階床位置に設置された被検出体１１を検出する。検出センサ１０は、乗客が乗降可能な位置（以降、ドアゾーンとよぶ）に乗りかご１がある場合にのみ、被検出体１１を検出する。
【００１３】
かごコントローラ１２は、主にドア８の開閉を制御するものであり、乗りかご１に設置され、ドア８を開閉するドアマシン９、および、乗客が操作するかご内操作盤１３と接続されている。かご内操作盤１３は、開ボタン、閉ボタン、行先階ボタンから構成されている。
【００１４】
制御コントローラ１４は、主に乗りかごの昇降運転を制御するものであり、モータ４やガバナ７とともに機械室に設置され、モータ４およびブレーキ５へ動作指令を出力し、乗りかご１の昇降運転を制御する。また、制御コントローラ１４は、建屋側無線端末１５およびかご側無線端末１６を介して、検出センサ１０およびかごコントローラ１２と接続されており、各階床のホールに設置されたホールボタン１７の信号、および、かごコントローラ１２から受信するかご内操作盤１３の信号や乗りかご１の状態から、ドア８を開くべきかを判断し、戸開すべきと判断した場合には、かごコントローラ１２へ戸開指令を送信する。なお、図１では、制御コントローラ１４を機械室に設置した例示しているが、制御コントローラ１４の設置位置は機械室に限定されず、例えば、昇降路内に制御コントローラ１４を設置した構成としても良い。
【００１５】
制御コントローラ１４からの戸開指令を受信したかごコントローラ１２は、ドアマシン９へ開方向の動作指令を出力し、ドア８を開かせる。一方、かごコントローラ１２は、戸開指令を受信していなければ、ドアマシン９へ閉方向の動作指令を出力し、ドア８を閉めさせる。
【００１６】
なお、かごコントローラ１２、制御コントローラ１４の各々は、具体的には、ＣＰＵ等の演算装置、半導体メモリ等の主記憶装置、ハードディスク等の補助記憶装置、および、通信装置などのハードウェアを備えた計算機である。そして、補助記憶装置に記録されたデータベースを参照しながら、主記憶装置にロードされたプログラムを演算装置が実行することで、後述する各機能を実現するが、以下では、このような計算機分野での周知技術を適宜省略しながら説明する。
【００１７】
以上が本実施例のエレベーターシステムのうち、従来同等の構成である。しかしながら、従来同等の構成のみでは、両コントローラ間の通信に異常が発生した場合には、乗りかご１内の乗客による開ボタン操作が制御コントローラ１４に到達しなかったり、開ボタン操作を認識した制御コントローラ１４が戸開指令を送信しても、その指令をかごコントローラ１２が受信できなかったりする結果、ドア８が開放されず、乗客の閉じ込めが発生する惧れがある。特に、近年の建屋の高層化や昇降速度の高速化に伴い、両コントローラ間の通信形態が有線から無線に移行しつつあり、通信異常の増加が予想されている。そこで、本実施例のエレベーターシステムでは、乗りかご１がサービス階に停車中であれば、両コントローラ間の通信に異常が発生した場合であっても、後述の構成等により、ドア８の戸開を実現できるようにした。
＜エレベーターシステムが実施する処理＞
本実施例の特有の処理を説明する前に、制御コントローラ１４側での処理（ルーチンＲ１）と、かごコントローラ１２側での処理（ルーチンＲ２）の関係を説明する。本実施例においては、かごコントローラ１２と制御コントローラ１４は、異なる計算機であるため、図２に示すように、制御コントローラ１４によるルーチンＲ１と、かごコントローラ１２によるルーチンＲ２は、並列して実施される。両コントローラ間の通信に異常がなければ、両ルーチンは周期的に実行され、その周期は十分に短い値（例えば、１０ｍ秒）である。なお、図２では、一方のルーチンを１回実行する時間内に他方のルーチンも１回実行する例を示しているが、一方のルーチンを１回実行する時間内に他方のルーチンも複数回実行しても良い。
＜制御コントローラが実施する処理＞
図３は、制御コントローラ１４が実施するルーチンＲ１の詳細を説明するフローチャートであり、制御コントローラ１４が戸開許可信号や戸開閉指令をかごコントローラ１２に送信する処理を示している。以降、ルーチンＲ１をステップごとに説明する。
【００１８】
ステップＳ１ａ：制御コントローラ１４が、かごコントローラ１２との通信が正常か判定する。通信が正常な場合は、ステップＳ１ｂに移り、そうでない場合は、ステップＳ１ｆに移る。なお、ここでの判断は、例えば、制御コントローラ１４からかごコントローラ１２に所定のデータを送信した後、かごコントローラ１２から制御コントローラ１４に正常なデータを受信したとの返信があったときに正常と判断し、そのような返信がなかったときに異常と判断することで行う。
【００１９】
ステップＳ１ｂ：制御コントローラ１４が、乗りかご1がサービス階に停車中か判定する。サービス階は、検出センサ１０の信号から検出するドアゾーンの内、ドアを開けてもよい階のことを指す。例えば、特定の条件（時間帯やスイッチ入力など）が成立した場合にのみドアを開けてもよい階は、ドアゾーンであっても、その条件が成立していない場合にはサービス階ではない。乗りかご１がサービス階に停車中の場合は、ステップＳ１ｃに移り、そうでない場合は、ルーチンＲ１を終了する。
【００２０】
ステップＳ１ｃ：制御コントローラ１４が、かごコントローラ１２に戸開許可信号を送信する。この信号は、次の周期に制御コントローラ１４とかごコントローラ１２間の通信異常が発生した場合に、かごコントローラ１２が制御コントローラ１４からの戸開指令がなくともドア８を開けることを許可するものである。したがって、戸開許可信号は、ステップＳ１ｂにおいて、サービス階に停車していると判断された場合にのみかごコントローラ１２に送信される信号である。
【００２１】
ステップＳ１ｄ：制御コントローラ１４が、ドア８を開くべきかを判定する。ホールボタンやかご内操作盤１３の行先階ボタンによって、乗りかご１が停止しているサービス階の呼びが登録されている場合や、かご内操作盤１３の開ボタンが操作されている場合に、制御コントローラ１４はドア８を開くべきと判断する。ドア８を開くべきと判断された場合は、ステップＳ１ｅに移り、そうでない場合は、ルーチンＲ１を終了する。
【００２２】
ステップＳ１ｅ：制御コントローラ１４が、かごコントローラ１２に戸開指令を送信する。その後、ルーチンＲ１を終了する。
【００２３】
ステップＳ１ｆ：ステップＳ１ａで通信に異常が発生したと判断された場合は、制御コントローラ１４が、ブレーキ５を稼働させて、乗りかご１を制止状態し、本ルーチンを終了する。ここで乗りかご１を制止状態にするのは、制御コントローラ１４とかごコントローラ１２の通信異常時には、後述のステップＳ２ｊのとおり、ドア８が開いており、乗りかご１を昇降させるのは危険である可能性があるためである。
【００２４】
以上が制御コントローラ１４によるルーチンＲ１のフローの説明である。このルーチンＲ１を十分に短い周期で繰り返すことにより、制御コントローラ１４からかごコントローラ１２への戸開許可信号の送信の有無を、乗りかご１の停車位置に応じて随時更新することができる。
＜かごコントローラが実施する処理＞
図４は、かごコントローラ１２が実施するルーチンＲ２の詳細を説明するフローチャートであり、かごコントローラ１２がドアマシン９へ動作指令を出力する処理を示している。以降、ルーチンＲ２をステップごとに説明する。
【００２５】
ステップＳ２ａ：かごコントローラ１２が、制御コントローラ１４との通信が正常か判定する。通信が正常な場合は、ステップＳ２ｂに移り、そうでない場合は、ステップＳ２ｈに移る。なお、ここでの判断には、ステップＳ１ａの説明で例示した方法を利用することができる。
【００２６】
ステップＳ２ｂ：制御コントローラ１４との通信が正常である場合、かごコントローラ１２は、制御コントローラ１４から戸開許可信号を受信しているか判定する。受信している場合、ステップＳ２ｃに移り、そうでない場合は、ステップＳ２ｄに移る。
【００２７】
ステップＳ２ｃ：制御コントローラ１４から戸開許可信号を受信している場合は、かごコントローラ１２は、戸開許可フラグをオンし、ステップＳ２ｅに移る。戸開許可フラグは、乗りかご１がサービス階に停車していることを表す信号である。戸開許可信号は、制御コントローラ１４とかごコントローラ１２間の通信異常が発生すると受信されないが、本ステップにて戸開許可フラグをオンしておくことで、この後に通信異常が発生しても、かごコントローラ１２は、乗りかご１がサービス階に停車していると判断することが可能になる。なお、この戸開許可フラグは、具体的には、かごコントローラ１２の記憶装置に記憶されたデータである。
【００２８】
ステップＳ２ｄ：一方、かごコントローラ１２が、制御コントローラ１４から戸開許可信号を受信していない場合は、かごコントローラ１２は、戸開許可フラグをオフし、ステップＳ２ｅに移る。
【００２９】
ステップＳ２ｅ：かごコントローラ１２が、制御コントローラ１４から戸開指令を受信しているか判定する。受信している場合は、ステップＳ２ｆに移り、そうでない場合は、ステップＳ２ｇに移る。
【００３０】
ステップＳ２ｆ：制御コントローラ１４から戸開指令を受信している場合は、かごコントローラ１２は、ドアマシン９へ開方向の動作指令を出力し、本ルーチンを終了する。開方向の動作指令を出力することで、ドア８が開く。
【００３１】
ステップＳ２ｇ：制御コントローラ１４から戸開指令を受信していない場合は、かごコントローラ１２は、ドアマシン９へ閉方向の動作指令を出力し、本ルーチンを終了する。閉方向の動作指令を出力することで、ドア８が閉じる。
【００３２】
ステップＳ２ｈ：制御コントローラ１４との通信が正常でない場合、かごコントローラ１２は、記憶装置に記憶された戸開許可フラグがオンであるか判定する。オンである場合はステップＳ２ｉに移り、そうでない場合は、ステップＳ２ｋに移る。
【００３３】
ステップＳ２ｉ：戸開許可フラグがオンである場合、かごコントローラ１２は、かご内操作盤１３の開ボタンが押されているか判定する。開ボタンが押されている場合は、ステップＳ２ｊに移り、そうでない場合は、ステップＳ２ｋに移る。
【００３４】
ステップＳ２ｊ：開ボタンが押されている場合、かごコントローラ１２は、ドアマシン９へ開方向の動作指令を出力し、本ルーチンを終了する。本ステップに至るのは、かごコントローラ１２と制御コントローラ１４との通信異常が発生している場合であるが、かごコントローラ１２の記憶装置には、戸開許可フラグがオンとして記憶されているので、通信異常の発生直前に乗りかご１はサービス階に停車していたと判断できる。また、ステップＳ１ｆにて、通信異常が発生した後は、制御コントローラ１４が乗りかご１を制止状態にしている。したがって、通信異常発生後も、乗りかご１はサービス階に停車しており、ドア８を開くことができる。そのため、戸開ボタンが押された場合には、ドア８を開き、乗客が降車できるようにする。
【００３５】
ステップＳ２ｋ：戸開許可フラグがオンでない場合、あるいは、開ボタンが押されていない場合、かごコントローラ１２は、ドアマシン９へ閉方向の動作指令を出力し、本ルーチンを終了する。戸開許可フラグがオフしているときのほか、戸開ボタンが押されていない場合にも、ドア８を閉めることで、ホールからの乗車を防ぐ。
【００３６】
以上が、本実施例による制御コントローラ１４とかごコントローラ１２の指令によってドアマシン９の動作を制御するフローである。このように、かごコントローラ１２が記憶している戸開許可フラグがオンである場合に、かごコントローラ１２がドアマシン９へ開方向の動作指令を出力することで、制御コントローラ１４とかごコントローラ１２間の通信異常が発生している場合であっても、ドア８を開くことが可能であり、乗客の閉じ込めを防ぐことができる。また、乗りかご１の運転中、すなわち、通信異常がない場合には、戸開許可フラグを適宜オフに更新することで、乗りかご１がドアゾーン以外やサービス階以外の階に停車中にドア８を開くことがなくなり、乗客の安全や建物のセキュリティを守ることができる。
【００３７】
なお、本発明は必ず説明した全ての構成を備えるものに限定されるものでない。制御コントローラ１４は、かごコントローラ１２と建屋側無線端末１５およびかご側無線端末１６を介して通信しているとしたが、有線接続で通信していてもよい。また、ステップ３０９で戸閉ボタンが押されていなくとも、ドア８を開いてもよい。
【符号の説明】
【００３８】
１  乗りかご、２  カウンタウェイト、３  主ロープ、４  モータ、５  ブレーキ、６  ガバナロープ、７  ガバナ、８  ドア、９  ドアマシン、１０  検出センサ、１１  被検出体、１２  かごコントローラ、１３  かご内操作盤、１４  制御コントローラ、１５  建屋側無線端末、１６  かご側無線端末、１７  ホールボタン
【図１】
2020194502.tif 000003
【図２】
2020194502.tif 000004
【図３】
2020194502.tif 000005
【図４】
2020194502.tif 000006
【国際調査報告】
2020194502.tif 000007
2020194502.tif 000008
2020194502.tif 000009
2020194502.tif 000010